(57)【要約】【課題】容器内の内容物を消費した後に、発泡用ウィジェットを簡便に取り出して分別することができる発泡用ウィジェット付きキャップ、及び容器を提供する。【解決手段】本発明に係る発泡用ウィジェット付きキャップ１００は、内容物を収容する容器本体２の口部４を覆う蓋体４０と、蓋体４０に固定され、容器本体２に封入されるガスを吸気し噴出させるウィジェット１とを備える発泡用ウィジェット付きキャップ１００であって、ウィジェット１は、ガスを蓄える内部空間Ｎを形成するチャンバ３０と、チャンバ３０に形成された吸気孔１６ａと、吸気孔１６ａを通じた外部からのガスの導入を許容すると共にガスの排出を阻止する吸気弁１７と、吸気孔１６ａの下方に形成される噴出孔２４ａとを有することを特徴とする。【選択図】図２
2020121757.tif 000002
【特許請求の範囲】
【請求項１】
内容物を収容する容器本体の口部を覆う蓋体と、
該蓋体に固定され、前記容器本体に封入されるガスを吸気し噴出させるウィジェットとを備える発泡用ウィジェット付きキャップであって、
前記ウィジェットは、
前記ガスを蓄える内部空間を形成するチャンバと、
該チャンバに形成された吸気孔と、
該吸気孔を通じた外部からのガスの導入を許容すると共にガスの排出を阻止する吸気弁と、
前記吸気孔の下方に形成される噴出孔と
を有することを特徴とする発泡用ウィジェット付きキャップ。
【請求項２】
前記チャンバは、前記蓋体の天壁から垂下する嵌合筒に嵌合し固定されている、請求項１に記載の発泡用ウィジェット付きキャップ。
【請求項３】
前記チャンバは、前記吸気孔を有する上側チャンバと、前記噴出孔を有する下側チャンバとを備える、請求項１又は２に記載の発泡用ウィジェット付きキャップ。
【請求項４】
前記吸気弁は、弁体と、前記上側チャンバにおける前記吸気孔の下方且つ前記弁体の上方に形成され該弁体が着座する弁座とを有する、請求項３に記載の発泡用ウィジェット付きキャップ。
【請求項５】
前記弁体は、球状弁体である、請求項４に記載の発泡用ウィジェット付きキャップ。
【請求項６】
前記上側チャンバは、外郭を形成する頂壁から垂下し有底筒状形状を有すると共に前記吸気孔の径方向外側を取り囲む吸気筒部を有する、請求項４又は５に記載の発泡用ウィジェット付きキャップ。
【請求項７】
前記下側チャンバは、外郭を形成する底壁から上方に延びる有底筒状の噴出筒部を有し、前記噴出孔は、前記底壁における前記噴出筒部の径方向内側に形成されている、請求項４から６のいずれか一項に記載の発泡用ウィジェット付きキャップ。
【請求項８】
前記弁体は、前記噴出筒部の上端部と、前記弁座との間で上下方向に移動可能である、請求項７に記載の発泡用ウィジェット付きキャップ。
【請求項９】
請求項１から８のいずれか一項に記載の発泡用ウィジェット付きキャップを前記容器本体に装着した液体内容物入り容器であって、前記噴出孔は、前記容器本体の姿勢に依らず前記液体内容物の液面より下方に位置する、容器。
【発明の詳細な説明】
【技術分野】
【０００１】
本発明は、主に飲料用容器を閉塞するキャップであって、飲料を効率的に発泡させる、発泡用ウィジェット付きキャップ、及びそれを用いた容器に関するものである。
【背景技術】
【０００２】
従来、主に飲料用容器内に飲料と共に封入し、容器の開栓時に飲料を発泡させるための発泡用ウィジェットとして、例えば特許文献１に記載されるように、ガスを保持するためのチャンバを画成する上部成形体２及び下部成形体３と、チャンバ内へガスを侵入させる第１の一方向ダックビルバルブ４と、容器を開けたときにチャンバ内から飲料内へとガスを噴出する第２のダックビルバルブ５とを有し、第１のダックビルバルブ４がダウンパイプ６の底部に上部成形体２と一体に設けられ、第２のダックビルバルブ５が下部成形体３に一体に設けられたものが知られている。
【０００３】
このような発泡用ウィジェットによれば、容器を開栓したときにチャンバ内のガスを噴出して内容物を発泡させることができる。
【先行技術文献】
【特許文献】
【０００４】
【特許文献１】特表２００２−５４４０８２号公報
【発明の概要】
【発明が解決しようとする課題】
【０００５】
しかしながら、特許文献１に記載されるような従来の発泡用ウィジェットは、内容物を消費した後は容器内で姿勢を自由に変えることができるため、容器本体の口部の大きさとの関係で分別の為に容器本体から取り出すことが難しい場合があった。
【０００６】
本発明は、このような事情に鑑み開発されたもので、容器内の内容物を消費した後に、発泡用ウィジェットを簡便に取り出して分別することができる発泡用ウィジェット付きキャップ、及び容器を提供することを目的とする。
【課題を解決するための手段】
【０００７】
本発明の発泡用ウィジェット付きキャップは、
内容物を収容する容器本体の口部を覆う蓋体と、
該蓋体に固定され、前記容器本体に封入されるガスを吸気し噴出させるウィジェットとを備える発泡用ウィジェット付きキャップであって、
前記ウィジェットは、
前記ガスを蓄える内部空間を形成するチャンバと、
該チャンバに形成された吸気孔と、
該吸気孔を通じた外部からのガスの導入を許容すると共にガスの排出を阻止する吸気弁と、
前記吸気孔の下方に形成される噴出孔と
を有することを特徴とする。
【０００８】
本発明の発泡用ウィジェット付きキャップは、上記構成において、前記チャンバは、前記蓋体の天壁から垂下する嵌合筒に嵌合し固定されていることが好ましい。
【０００９】
本発明の発泡用ウィジェット付きキャップは、上記構成において、前記チャンバは、前記吸気孔を有する上側チャンバと、前記噴出孔を有する下側チャンバとを備えることが好ましい。
【００１０】
本発明の発泡用ウィジェット付きキャップは、上記構成において、前記吸気弁は、弁体と、前記上側チャンバにおける前記吸気孔の下方且つ前記弁体の上方に形成され該弁体が着座する弁座とを有することが好ましい。
【００１１】
本発明の発泡用ウィジェット付きキャップは、上記構成において、前記弁体は、球状弁体であることが好ましい。
【００１２】
本発明の発泡用ウィジェット付きキャップは、上記構成において、前記上側チャンバは、外郭を形成する頂壁から垂下し有底筒状形状を有すると共に前記吸気孔の径方向外側を取り囲む吸気筒部を有することが好ましい。
【００１３】
本発明の発泡用ウィジェット付きキャップは、上記構成において、前記下側チャンバは、外郭を形成する底壁から上方に延びる有底筒状の噴出筒部を有し、前記噴出孔は、前記底壁における前記噴出筒部の径方向内側に形成されていることが好ましい。
【００１４】
本発明の発泡用ウィジェット付きキャップは、上記構成において、前記弁体は、前記噴出筒部の上端部と、前記弁座との間で上下方向に移動可能であることが好ましい。
【００１５】
本発明の容器は、上記いずれかに記載の発泡用ウィジェット付きキャップを前記容器本体に装着した液体内容物入り容器であって、前記噴出孔は、前記容器本体の姿勢に依らず前記液体内容物の液面より下方に位置することを特徴とする。
【発明の効果】
【００１６】
本発明によれば、容器内の内容物を消費した後に、発泡用ウィジェットを簡便に取り出して分別することができる発泡用ウィジェット付きキャップ、及び容器を提供することができる。
【図面の簡単な説明】
【００１７】
【図１】本発明の一実施形態に係る発泡用ウィジェット付きキャップを装着した容器の正面一部断面図である。
【図２】図１における、発泡用ウィジェット付きキャップ部分の拡大断面図である。
【図３】本発明の一実施形態に係る発泡用ウィジェット付きキャップによって、容器内の内容物を発泡させる手順を示すフローチャートである。
【図４】本発明の一実施形態に係る発泡用ウィジェット付きキャップによって、容器内の内容物を発泡させている状態を示す拡大断面図である。
【発明を実施するための形態】
【００１８】
以下、図１から図４を参照して、本発明の一実施形態に係る発泡用ウィジェット付きキャップ１００について詳細に例示説明する。
【００１９】
なお、本明細書において上下方向とは、図１の上下方向を基準とし、発泡用ウィジェット付きキャップ１００の中心軸線Ｏに沿って蓋体４０が配置される側を上方、下側チャンバ２０が配置される側を下方とする。また、径方向外側とは、図１における発泡用ウィジェット付きキャップ１００の中心軸線Ｏを通り中心軸線Ｏに垂直な直線に沿って外側に向かう方向であり、径方向内側とは、当該直線に沿って中心軸線Ｏに向かう方向を意味するものとする。
【００２０】
図１に示す例では、本実施形態に係る発泡用ウィジェット付きキャップ１００は、内容物の出入口となる口部４と、口部４の下方に肩部７を介して連なる胴部５と、胴部５の下端部を閉塞する底部６とを備える容器本体２に装着されて容器２００を構成している。発泡用ウィジェット付きキャップ１００は、容器本体２の口部４にねじ係合により装着される蓋体４０と、蓋体４０の天壁４３から垂下する外側嵌合筒４５に嵌合し、容器本体２に封入されるガスを吸気し噴出させる発泡用のウィジェット１とを備えている。
【００２１】
本実施形態に用いられる容器本体２は、ポリエチレンテレフタレート（ＰＥＴ）製容器であり、例えば射出成形によって形成されるＰＥＴ製のプリフォームを二軸延伸ブロー成形することによって形成することができる。しかし、この態様には限定されず、容器本体２の材質には、低密度ポリエチレン（ＬＤＰＥ）又は高密度ポリエチレン樹脂（ＨＤＰＥ）などを用いてもよい。この場合、容器本体２の製法には、合成樹脂製のパリソンに対し押出しブロー成形を行うことによって容器本体２を形作ることもできる。
【００２２】
容器本体２の口部４の外周面には、図２に示すように、蓋体４０にねじ係合させるための雄ねじ部４ａが設けられている。また、口部４の下端部には、容器本体２を二軸延伸ブロー成形によって成形する際にブロー成形用金型にプリフォームを固定するためのネックリング４ｂが配置されている。
【００２３】
蓋体４０は、図２に示すように、口部４を径方向外側から覆う外周壁４１と、外周壁４１の上端部に連なり口部４を上方から閉塞する天壁４３とを備えている。外周壁４１の内面には、口部４の雄ねじ部４ａにねじ係合可能な雌ねじ部４１ａが設けられている。また、外周壁４１の下端部には、弱化部４２ａを介してリング部４２が連なっている。リング部４２は、口部４を径方向外側から囲むリング状部材であり、その内周面から径方向内側に向かって上方に延びる係合板４２ｂが、口部４において雄ねじ部４ａとネックリング４ｂの間の高さ位置から径方向外側に突出する突壁４ｃにアンダーカット係合している。
【００２４】
蓋体４０の天壁４３には、図２に示すように、天壁４３の下面から垂下し、後述するウィジェット１を径方向内側に嵌合させ固定する外側嵌合筒４５と、外側嵌合筒４５の径方向内側に設けられ、ウィジェット１の吸気筒部１４の内側に嵌合してウィジェット１を支持する内側嵌合筒４７とが設けられている。内側嵌合筒４７は、周方向の一部に切り欠き部４７ａが形成されており、容器本体２内のガスが切り欠き部４７ａを通じて吸気孔１６ａからウィジェット１内に流入可能となっている。
【００２５】
次に、内容物である飲料を発泡させる発泡用のウィジェット１の構成について詳細に説明する。
【００２６】
ウィジェット１は、図２に示すように、外郭を形成するチャンバ３０の外周面が上述の外側嵌合筒４５の内側に嵌合することで蓋体４０に固定されている。ウィジェット１は、吸気孔１６ａを有する上側チャンバ１０と、ガスを噴出させる噴出孔２４ａを有する下側チャンバ２０と、吸気弁１７を形成する球状弁体１８（弁体）とを備えている。上側チャンバ１０と下側チャンバ２０とにより、ウィジェット１の外郭を形成すると共にガスを収容する内部空間Ｎを形成するチャンバ３０が構成されている。
【００２７】
上側チャンバ１０は、図２に示すように、最上部に設けられた薄肉の頂壁１２と、頂壁１２の外周端から垂下する上部周壁１３とを有しており、頂壁１２の内周端には、下方に向けて垂下する円筒状の吸気筒部１４が一体に設けられている。吸気筒部１４の内周面には、径方向内側に向かって上方に傾斜する弁座１６が設けられている。すなわち、弁座１６は、上方に向かって縮径する円錐台の側面形状を有している。また、弁座１６の上方には、容器本体２の収容空間Ｓからウィジェット１の内部空間Ｎ内にガスを供給可能な吸気孔１６ａが設けられている。弁座１６は、球状弁体１８が下方から着座することにより内部空間Ｎから収容空間Ｓ及び外部へのガスの漏出を阻止する役割を果たす。すなわち、球状弁体１８と弁座１６により、一方向弁である吸気弁１７を構成している。吸気弁１７は、吸気孔１６ａを通じた収容空間Ｓから内部空間Ｎ内へのガスの供給を許容すると共に、吸気孔１６ａを通じた内部空間Ｎ内から収容空間Ｓ及び外部へのガスの漏出を阻止している。球状弁体１８は、弁座１６と、後述する下側チャンバ２０の噴出筒部２４の上端部との間で形成された弁体空間Ｖ内で上下方向に移動可能である。なお、吸気弁１７は、内部空間Ｎの内外に圧力が生じていない状態（例えば、図１及び図２に示す未開封状態）においては、球状弁体１８が自重で弁座１６から離れ、噴出筒部２４の上端部に当接することで開放されている。
【００２８】
上部周壁１３の下部には、径方向外側に突出するフランジ部１３ｂ及び環状突部１３ａが設けられている。環状突部１３ａは、後述する下側チャンバ２０の上端部に設けられている係合突部２３ａにアンダーカット係合することで上側チャンバ１０を下側チャンバ２０に固定し、内部空間Ｎ内を気密にシールしている。フランジ部１３ｂは、外側嵌合筒４５の下端部がフランジ部１３ｂの上面に当接することで、蓋体４０に対するウィジェット１の上下方向位置を決めている。
【００２９】
下側チャンバ２０は、図２に示すように、最下部に設けられた薄肉の底壁２２と、底壁２２の外周端から上方に延びる下部周壁２３とを有しており、底壁２２の径方向中央部には、上方に向けて延びる円筒状の噴出筒部２４が一体に設けられている。底壁２２における噴出筒部２４の径方向内側には、噴出孔２４ａが設けられている。噴出筒部２４の上端部は上側チャンバ１０の吸気筒部１４内に下方から入り込んでおり、吸気筒部１４の径方向内側に設けられた吸気孔１６ａは、吸気弁１７経由で内部空間Ｎ及び噴出孔２４ａに連通している。噴出筒部２４の上端部には、周方向の３箇所に連通溝２４ｃが形成されている。内部空間Ｎ内に充填されたガスは、内部空間Ｎ内の圧力が収容空間Ｓの圧力よりも高まると、球状弁体１８の位置に依らずこの連通溝２４ｃを通じて噴出孔２４ａから収容空間Ｓ内に噴出可能である。
【００３０】
図２に示すように、底壁２２の外周端には、上方へと延びる下部周壁２３が連結されている。また、下部周壁２３の上端部における内面には、上述のように係合突部２３ａが設けられており、上側チャンバ１０の上部周壁１３に形成された環状突部１３ａにアンダーカット係合することで下側チャンバ２０を上側チャンバ１０に対して固定している。このとき、環状突部１３ａの外面が下部周壁２３の内面に当接することで内部空間Ｎは収容空間Ｓに対して気密にシールされている。
【００３１】
なお、本実施形態では、上側チャンバ１０と下側チャンバ２０とが、係合部同士のアンダーカット係合により係合固定されるように構成したが、この態様には限定されない。上側チャンバ１０と下側チャンバ２０とが、例えば締り嵌め等により嵌合固定されるように構成してもよい。また、上側チャンバ１０と下側チャンバ２０は、ホットプレートによる溶着又は超音波による溶着によって互いに接合されるように構成してもよい。更に、チャンバ３０は、当初から一体成形されていてもよい。
【００３２】
本実施形態では、図２に示すように、ウィジェット１が蓋体４０に対して固定されており、図示する容器本体２の正立姿勢において下側チャンバ２０が下方に位置し、未開栓時において噴出孔２４ａが液体である飲料の液面より下方に位置するように配置されている。従って、後述するように、容器２００を開栓すると、常に内部空間Ｎ内のガスが噴出孔２４ａを通じて内容物（飲料）中に噴射される。従って、内容物を確実に発泡化することができる。なお、消費者が、容器本体２が傾いた状態で容器２００を開栓する場合もあり得るため、前記噴出孔２４ａは、容器本体２の姿勢に依らず液体である飲料の液面より下方に位置するように構成することが好ましい。
【００３３】
なお、本実施形態において、容器２００内に充填される内容物としては、ビールや炭酸飲料などの泡立つ飲料が好適であるが、これに限定されるものではなく、他の様々な液体飲料等を充填することができる。
【００３４】
なお、上側チャンバ１０及び下側チャンバ２０の材質としては、例えば、ポリプロピレン（ＰＰ）、ポリエチレンテレフタレート（ＰＥＴ）、ポリエチレン（ＰＥ）、ナイロン等の合成樹脂を用いることができるが、これらの材質に限定されるものではない。
【００３５】
次に、本実施形態に係る発泡用ウィジェット付きキャップ１００によって、容器本体２内の内容物（飲料）を発泡させる手順について図３及び図４を用いて説明する。
【００３６】
まず、図１に示す容器本体２の収容空間Ｓ内に内容物及びガスを充填する（図３のステップＳ１０１）。ここで、内容物が炭酸飲料である場合、内容物と共に二酸化炭素ガス、又は二酸化炭素ガスと液体窒素がガスとして添加される。内容物が炭酸飲料では無い飲料の場合、例えば液体窒素がガスとして添加される。容器本体２内に内容物及びガスが投入されると、容器本体２の口部４に発泡用ウィジェット付きキャップ１００が装着される（ステップＳ１０２）。口部４に発泡用ウィジェット付きキャップ１００の蓋体４０が装着されると、外側嵌合筒４５の上端部４５ａの外面が口部４の内面に当接し、容器本体２は気密にシールされる。
【００３７】
容器本体２を発泡用ウィジェット付きキャップ１００により封止すると、容器本体２内に投入したガスにより容器２００内の圧力が上昇して外部の大気圧よりも高くなる（ステップＳ１０３）。この容器２００内の圧力の上昇によって、ウィジェット１の内部空間Ｎの圧力より容器本体２の収容空間Ｓ内の圧力の方が高くなる。図２において内容物よりも上方のヘッドスペースに存在する圧力が高まったガスは、上側チャンバ１０の上部周壁１３の外面において周方向に間欠的に設けられた縦リブ１３ｃの間の隙間を通って蓋体４０の天壁４３の直下の空間に達する。そして、ガスは、更に内側嵌合筒４７の周方向に間欠的に設けられた切り欠き部４７ａを通り、吸気孔１６ａを通過する。このとき、内部空間Ｎ内の圧力よりも容器本体２の収容空間Ｓ内の圧力の方が高いため、球状弁体１８は、下方に押されて噴出筒部２４の上端部に当接し、吸気弁１７が開放されている。従って、吸気孔１６ａを通過したガスは、弁体空間Ｖにおける球状弁体１８と吸気筒部１４との間の空間を通過し、更に噴出筒部２４と吸気筒部１４との隙間を通過して内部空間Ｎ内に導入される。（ステップＳ１０４）。このとき、液体である内容物（飲料）が噴出孔２４ａを通じて内部空間Ｎに入る経路も存在するが、本実施形態では、気体である容器２００内のガスよりも、液体である内容物（飲料）の方が流路を通過する際の流動抵抗が大きい。従って、噴出孔２４ａから内部空間Ｎ内に入る飲料はごく僅かであり、内部空間Ｎの大部分の領域には、容器本体２内のガスが充填される。この内部空間Ｎ内にガスが充填される過程では、ウィジェット１の内部空間Ｎ内の圧力は容器本体２内の圧力を越えることはない。そして、内部空間Ｎ内の圧力と容器本体２内の圧力はやがて平衡状態へと収束する（ステップＳ１０５）。図１及び図２は、内部空間Ｎ内と容器本体２内の収容空間Ｓ内の圧力が平衡状態に達した状態を示している。なお、噴出孔２４ａの流路面積が吸気孔１６ａの流路面積よりも小さくなるようにして、噴出孔２４ａから内部空間Ｎ内に入る内容物を更に抑制するように構成してもよい。
【００３８】
次に、容器２００は、消費者により開栓される（ステップＳ１０６）。容器２００の開栓操作は、消費者が蓋体４０の外周壁４１を把持し、蓋体４０を中心軸線Ｏ回りに回動することで外周壁４１とリング部４２とを連結していた弱化部４２ａを破断し、蓋体４０と口部４とのねじ係合を解除して上方に移動させる（図４に太線矢印で示す）。これによって、外側嵌合筒４５の上端部４５ａと、口部４との間に隙間が生じ、容器本体２内のヘッドスペース内に充填されているガスは、当該上端部４５ａと口部４との隙間、並びに雄ねじ部４ａと雌ねじ部４１ａとの間の隙間を通って（図４に細線矢印で示す）外部に排出される。これによって、容器２００内の圧力は一気に大気圧近くまで開放される。このとき、内部空間Ｎ内の圧力は吸気弁１７及び流路が狭い噴出孔２４ａにより一気に開放されることが無いため、内部空間Ｎ内の圧力は容器２００内の圧力よりも高くなる。このような内部空間Ｎ内の急激な相対圧力上昇によって球状弁体１８は勢いよく弁座１６まで到達し、吸気弁１７が閉塞する（ステップＳ１０７）と共に、内部空間Ｎ内のガスは、噴出孔２４ａから内容物（飲料）内に所定の流量で噴出される（ステップＳ１０８）。なお、ここでいう所定の流量は、必ずしも一定の流量の意味ではなく、噴出孔２４ａの流路面積により定まる、泡の形成に適した流量である。
【００３９】
ガスが内容物内に噴出されると、内容物が攪拌され、内容物内に溶解していたガスも気化して、多数の微細な泡が形成される（ステップＳ１０９）。これらの泡は容器２００のヘッドスペースに向けて上昇し、内容物の上部に泡の層を形成する（ステップＳ１１０）。
【００４０】
以上述べたように、本実施形態は、内容物を収容する容器本体２の口部４を覆う蓋体４０と、蓋体４０に固定され、容器本体２に封入されるガスを吸気し噴出させるウィジェット１とを備える発泡用ウィジェット付きキャップ１００であって、ウィジェット１は、ガスを蓄える内部空間Ｎを形成するチャンバ３０と、チャンバ３０に形成された吸気孔１６ａと、吸気孔１６ａを通じた外部からのガスの導入を許容すると共にガスの排出を阻止する吸気弁１７と、吸気孔１６ａの下方に形成される噴出孔２４ａとを有するように構成した。これによって、容器２００を開栓するだけで、内容物（飲料）をグラス等に注がなくても内容物内に泡を発生させることができる。また、内容物をグラス等に注いだときには、樽から注ぎ出したのと同様な外観の泡を形成することができる。特に、本実施形態では、ウィジェット１を蓋体４０の天壁４３に固定するように構成したので、従来の内容物の上面に浮遊させる方式と比較して、容器２００内が大気開放された直後のウィジェット１の姿勢を安定化させ、泡を安定して形成することができる。また、ウィジェット１を蓋体４０に固定しているので、蓋体４０を容器本体２から取り外すと同時にウィジェット１も容器本体２内から取り除くことができる。従って、ウィジェット１の分別が容易になる。
【００４１】
また、本実施形態では、チャンバ３０は、蓋体４０の天壁４３から垂下する外側嵌合筒４５（嵌合筒）に嵌合し固定されるように構成した。このような構成の採用によって、蓋体４０に外側嵌合筒４５を追加するという僅かな形状変更によって、蓋体４０にウィジェット１を固定した発泡用ウィジェット付きキャップ１００を実現することが可能になる。
【００４２】
また、本実施形態では、チャンバ３０が、吸気孔１６ａを有する上側チャンバ１０と、噴出孔２４ａを有する下側チャンバ２０とを備えるように構成した。このような構成の採用によって、チャンバ３０の金型設計の自由度が高まり、吸気孔１６ａ及び噴出孔２４ａの形状、配置等を任意に設定することができる。
【００４３】
また、本実施形態では、吸気弁１７は、弁体と、上側チャンバ１０における吸気孔１６ａの下方且つ弁体の上方に形成され弁体が着座する弁座１６とを有するように構成した。このような構成の採用によって、内部空間Ｎの相対圧力が低いとき（例えばステップＳ１０１でガスを容器本体２内に投入した直後など）は弁体が自重等で弁座１６から遠ざかって吸気弁１７を大きく開放すると共に、内部空間Ｎの相対圧力が高まると（例えばステップＳ１０６で蓋体４０を開放した直後など）弁体が圧力差により弁座１６に着座して吸気弁１７を確実に閉塞することができる。
【００４４】
また、本実施形態では、弁体を球状弁体１８として構成した。このような構成の採用によって、球状弁体１８を弁座１６と噴出筒部２４の上端部との間で滑らかに移動させることができるので、吸気弁１７の開閉をよりスムーズに行うことができる。
【００４５】
また、本実施形態では、上側チャンバ１０は、外郭を形成する頂壁１２から垂下し有底筒状形状を有すると共に吸気孔１６ａの径方向外側を取り囲む吸気筒部１４を有するように構成した。これによって、内部空間Ｎ内に噴出孔２４ａから内容物が入っても、吸気弁１７の高さよりも上方には内容物が充填されにくくすることができる。
【００４６】
また、本実施形態では、下側チャンバ２０は、外郭を形成する底壁２２から上方に延びる有底筒状の噴出筒部２４を有し、噴出孔２４ａは、底壁２２における噴出筒部２４の径方向内側に形成されるように構成した。このような構成の採用によって、内部空間Ｎ内に噴出孔２４ａから内容物が入っても、噴出筒部２４の径方向外側の内部空間Ｎに内容物が充填されにくくすることができる。
【００４７】
また、本実施形態では、弁体は、噴出筒部２４の上端部と弁座１６との間で上下方向に移動可能であるように構成した。このような構成の採用によって、内部空間Ｎの圧力が低いときは弁体が自重等で噴出筒部２４の上端部まで移動して弁座１６から遠ざかることで吸気弁１７を大きく開放すると共に、内部空間Ｎの圧力が高まると弁体が弁座１６に着座して吸気弁１７を確実に閉塞することができる。
【００４８】
また、本実施形態は、上記いずれかに記載の発泡用ウィジェット付きキャップ１００を容器本体２に装着した液体内容物入り容器２００であって、噴出孔２４ａは、容器本体２の姿勢に依らず液体内容物の液面より下方に位置するように構成した。このような構成の採用によって、容器２００を開栓すると、常に内部空間Ｎ内のガスが噴出孔２４ａを通じて内容物（飲料）中に噴射される。従って、内容物を確実に発泡化することができる。
【００４９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００５０】
例えば、本実施形態では、ウィジェット１が蓋体４０から垂下する外側嵌合筒４５の内面に嵌合するように構成したが、この態様には限定されない。ウィジェット１は、ねじ係合やアンダーカット係合等の他の固定手段によって蓋体４０に固定するように構成してもよい。また、ウィジェット１の一部が蓋体４０と一体に形成されていてもよい。
【００５１】
また、本実施形態では、蓋体４０がねじ係合によって容器本体２の口部４に装着されるように構成したが、この態様には限定されない。蓋体４０は、打栓係合等の手段によって口部４に装着するように構成してもよい。
【００５２】
また、本実施形態では、吸気弁１７に用いる弁体として球状弁体１８を採用したが、この態様には限定されず、弁体は、弁体空間Ｖ内で上下方向に移動可能であれば他の形状を備えていてもよい。また、弁体が弁体空間Ｖ内を移動する態様の他、弁体が弾性部材等により支持され、内部空間Ｎの内外圧力差によって吸気弁１７が開閉されるように構成してもよい。
【符号の説明】
【００５３】
１      ウィジェット
２      容器本体
４      口部
４ａ    雄ねじ部
４ｂ    ネックリング
４ｃ    突壁
５      胴部
６      底部
７      肩部
１０    上側チャンバ
１２    頂壁
１３    上部周壁
１３ａ  環状突部
１３ｂ  フランジ部
１３ｃ  縦リブ
１４    吸気筒部
１６    弁座
１６ａ  吸気孔
１７    吸気弁
１８    球状弁体
２０    下側チャンバ
２２    底壁
２３    下部周壁
２３ａ  係合突部
２４    噴出筒部
２４ａ  噴出孔
２４ｃ  連通溝
３０    チャンバ
４０    蓋体
４１    外周壁
４１ａ  雌ねじ部
４２    リング部
４２ａ  弱化部
４２ｂ  係合板
４３    天壁
４５    外側嵌合筒（嵌合筒）
４５ａ  上端部
４７    内側嵌合筒（嵌合筒）
４７ａ  切り欠き部
１００  発泡用ウィジェット付きキャップ
２００  容器
Ｎ      内部空間
Ｏ      中心軸線
Ｓ      収容空間
Ｖ      弁体空間
【図１】
2020121757.tif 000003
【図２】
2020121757.tif 000004
【図３】
2020121757.tif 000005
【図４】
2020121757.tif 000006